(57)【要約】【課題】ポーツ競者用ゼッケンにおいて、スポーツ競技の上達段階の表示及びその確認、特に卓球の上達段階を示す「級（又は段）」の表示及びその確認を容易かつ確実に行う。【解決手段】卓球競技者Ｍの背面の上着１に、布製のゼッケン２が縫い合わせて（縫い目７）固定される。このゼッケン２には、競技者の氏名「田中」３と、団体名（地域名やクラブ名、△…）４が、例えば、刺繍や印刷で記載される。氏名「田中」３は、例えば、競技会などによって認定された「競技の上達段階を示す色」で表示される。例えば、６段階の上達段階の「級（又は段）」をそれぞれに示す異なる６色で表示される。【選択図】　　　　図１
2004093598.tif 000002
【特許請求の範囲】
【請求項１】
スポーツ競技者の衣類に着けるシート部材に、氏名を表示し、かつ、この氏名を、前記スポーツ競技の上達度合いを示す色で表示することを特徴とするスポーツ競技者用ゼッケン。
【請求項２】
スポーツ競技者の部位に装着する部材に、氏名を表示し、かつ、この氏名を、前記スポーツ競技の上達度合いを示す色で表示することを特徴とするスポーツ競技者用ゼッケン。
【請求項３】
前記シート部材の文字を除く一部に色表示を行うことを特徴とする請求項１記載のスポーツ競技者用ゼッケン。
【請求項４】
前記シート部材の一部の色表示が、
前記部材の四隅部分の少なくとも一箇所であり、かつ、表示色がスポーツ競技の上達度合又は団体名を含む色であることを特徴とする請求項３記載のスポーツ競技者用ゼッケン。
【請求項５】
前記シート部材を、上着に縫い付けて固定することを特徴とする請求項１記載のスポーツ競技者用ゼッケン。
【請求項６】
前記シート部材を、
安全ピンで上着に固定することを特徴とする請求項１記載のスポーツ競技者用ゼッケン。
【請求項７】
スポーツ競技者の部位に付ける部材が、
腕を含む部位に、弾性を有した着脱可能な部材であることを特徴とする求項２記載のスポーツ競技者用ゼッケン。
【請求項８】
前記シート部材を、
身体の動きが制限されないように、紐で結んで競技者に着けることを特徴とする請求項１記載のスポーツ競技者用ゼッケン。
【請求項９】
前記シート部材に、
写真が印刷されることを特徴とする請求項１，２，３，４，５，６，７，８のいずれか１項に記載のスポーツ競技者用ゼッケン。
【請求項１０】
前記スポーツ競技者用ゼッケンが、
卓球用ゼッケンであることを特徴とする請求項１，２，３，４，５，６，７，８，９のいずれか１項に記載のスポーツ競技者用ゼッケン。
【発明の詳細な説明】
【０００１】
【発明の属する技術分野】
本発明は、スポーツ競技会、例えば、卓球競技会において、競技の上達段階を示す「級（又は段）」ととともに参加者名、団体名（地域名やクラブ名）を表示するスポーツ競技者用ゼッケンに関する。
【０００２】
【従来の技術】
従来、例えば、卓球競技会では、個々の競技者が、離れた場所の審判員などで容易に目視によって判明するように、競技者の上着の背面に、競技者の氏名を記載したゼッケンを着けている。このゼッケンには、氏名とともに団体名（地域名やクラブ名）が記載されていることが多い。
【０００３】
【発明が解決しようとする課題】
ところで、上記従来例の卓球競技会では競技者ごとの競技の上達段階の表示、例えば、「級（又は段）」は表示していない。換言すれば、空手や柔道のように競技者が着ける帯びの色で競技の上達段階を区別した「段」を表示していないため、競技会などで、その競技の上達段階によるクラス分けなどが、ゼッケンに記載された氏名のみでは迅速かつ容易にでき難いという不都合があった。
【０００４】
本発明は、上記事情に鑑み、スポーツ競技の上達段階の表示及びその確認が、特に、卓球の上達段階を示す「級（又は段）」の表示及びその確認が容易、迅速かつ確実に出来るポーツ競者用ゼッケンを提供することを目的とする。
【０００５】
【課題を解決するための手段】
上記目的を達成する本発明のスポーツ競技者用ゼッケンは、スポーツ競技者の衣類に着けるシート部材に、氏名を表示し、かつ、この氏名を、前記スポーツ競技の上達度合いを示す色で表示することを特徴とする。
【０００６】
この発明のスポーツ競技者用ゼッケンは、スポーツ競技の上達段階の表示及びその確認が、特に、卓球の上達段階を示す「級（又は段）」の表示及びその確認が容易、迅速かつ確実に出来るようになる。
【０００７】
また、上記目的を達成する本発明のスポーツ競技者用ゼッケンは、スポーツ競技者の部位に装着する部材に、氏名を表示し、かつ、この氏名を、前記スポーツ競技の上達度合いを示す色で表示し、また、前記シート部材の文字を除く一部に色表示を行い、かつ、前記シート部材の一部の色表示が、前記部材の四隅部分の少なくとも一箇所であり、かつ、表示色がスポーツ競技の上達度合又は団体名を含む色であることを特徴とする。
【０００８】
さらに、上記目的を達成する本発明のスポーツ競技者用ゼッケンは、前記シート部材を、上着に縫い付けて固定し、かつ、前記シート部材を、安全ピンで上着に固定し、また、スポーツ競技者の部位に付ける部材が、腕を含む部位に、弾性を有した着脱可能な部材である。
【０００９】
また、上記目的を達成する本発明のスポーツ競技者用ゼッケンは、前記シート部材を、身体の動きが制限されないように、紐で結んで競技者に着け、また、前記シート部材に、写真が印刷され、さらに、前記スポーツ競技者用ゼッケンが、卓球用ゼッケンであることを特徴とする。
【００１０】
この発明のスポーツ競技者用ゼッケンは、スポーツ競技の上達段階の表示及びその確認が容易、迅速かつ確実に出来るとともに、多様な取り付け方法、かつ、多様な形状によって、卓球を含む多種の競技会などに応用可能である。
【００１１】
【発明の実施の形態】
以下、図を参照して、この発明の実施形態について説明するが、構成および配置関係についてはこの発明が理解できる程度に概略的に示したものに過ぎない。また、以下、この発明の好適な構成例につき説明するが、各構成の材質などは、単なる好適例にすぎない。したがって、この発明は以下の実施の形態に限定されず、特許請求の範囲を含む本発明の記載に基づく様々な形態に適用可能である。
【００１２】
（実施形態の構成及び各部の機能）
図１は本発明のスポーツ競技者用ゼッケンの構成例及び使用状態例を示す斜視図である。
【００１３】
図１を参照すると、このスポーツ競技者用ゼッケン２は、卓球競技会での使用状態及び構成例を示し、競技者Ｍの上着１の後ろ側（背面）に、布製のゼッケン２が縫い合わせて（縫い目７）固定されている。
このゼッケン２には、競技者の氏名「田中」３と、団体名（地域名やクラブ名、△…）４が、例えば、刺繍や印刷で記載されている。なお、このゼッケン２は、例えば、縦２０センチメートル、横２５センチメートルである。
【００１４】
氏名「田中」３は、例えば、競技会などによって認定された「競技の上達段階を示す色」で表示されている。この氏名「田中」３は、例えば、６段階の「級（又は段）」をそれぞれ異なる色の６色で表示している。また、団体名（域名やクラブ名、△…）４も、例えば、６段階の「級（又は段）」と同様の異なる色の６色で表示されている。
【００１５】
なお、この団体名（域名やクラブ名、△…）４は、６色で表示しないで、団体名（域名やクラブ名）の特有の色で表示しても良い。さらに、氏名は、漢字以外のローマ字でも良い。また、氏名は団体名や数字を含むものとする。
【００１６】
このように、ゼッケン２は、スポーツ競技、特に卓球競技の上達段階を示す「級（又は段）」の表示が容易、迅速かつ確実に出来るようになる。
【００１７】
図２は図１に示すゼッケン２の構成例を示す斜視図である。
【００１８】
図２（ａ）を参照すると、この例のゼッケン２ａは、腕などの競技者の部位に着けられている。ゼッケン２ａは、例えば、弾性を有し、かつ、管状の布で作製されている。このゼッケン２ａの表面には、図１の例と同様に、競技者の氏名「田中」は、競技の上達段階の「級（又は団体）」をそれぞれに示す異なる６色で表示されている。
【００１９】
なお、このゼッケン２ａには、図１と同様に団体名（地域名やクラブ名、△…）４を記載するようにしても良い。
【００２０】
このゼッケン２ａは、腕（足でも良い）などの競技者の部位に、弾性によって着脱可能であり、図１の例に対して競技者の上着１の縫い付ける手間がなくなる、また、競技会の途中で「級又は（段）」が変更になった際にカラーマジックインクなどで無地のゼッケン２ａに新たな「級（又は段）」の色の氏名を記載できるため、その使用の利便性が向上する。
【００２１】
図２（ｂ）を参照すると、この例のゼッケン２ｂは、長方形の布の両端にそれぞれ紐を設けて、腕などの競技者の部位に巻きつけ、この後で紐を結んで着けている。その他の競技者の氏名に対する「級（又は段）の競技の上達段階を示す色分けは、図２（ａ）に示したゼッケン２ａと同じである。
【００２２】
図３は図１に示すゼッケン２の他の取り付け状態を示す正面図である。
【００２３】
図３を参照すると、この例は、図１のゼッケン２を安全ピン１０ａ，１０ｂ，１０ｃ，１０ｄで競技者Ｍの上着１の後ろ側（背面）に取り付けている。その他の競技者の氏名に対する上達段階の「級（又は段）」をそれぞれに示す異なる色分けは、図１に示したゼッケン２と同じである。
【００２４】
この図３のゼッケン２の取り付けでは、ゼッケン２の着脱が容易であり、図１の例に対して競技者の上着に縫い付ける手間がなくなる。また、競技会の途中で「級（又は段）」が変更になった際にカラーマジックインクで無地のゼッケン２に新たな「級（又は段）」の色の氏名を記入できる様になり、かつ、ゼッケン２を図示しない上着に容易に着脱できるため、度々の上着だけの洗濯などが出来るなど、その使用の利便性が向上する。
【００２５】
図４は図１に示すゼッケン２の他の構成例示す正面図である。
【００２６】
図４を参照すると、この例のゼッケン２ｂは、図１のゼッケン２の四隅に紐１３ａ，１３ｂを取り付けたものである。その他の競技者の氏名の上達段階を示す「級（又は段）」の異なる色分けは、図１に示したゼッケン２と同じである。
【００２７】
この図４に示すゼッケン２ｂは、競技者の上着の後ろ側（背面）に競技者の氏名が見えるように装着し、そして、紐１３ａ，１３ｂを左右の肩と脇の下を通してから結んでいる（点線の結び目参照）。
【００２８】
この図４のゼッケン２ｂは、競技者に対する着脱が容易である。すなわち、競技者の上着に縫い付ける手間がなくなる。また、競技会の途中で「級（又は段）」が変更になった際に新たな「級（又は段）」の色の氏名を記載できる様になる。また、ゼッケン２ｂや上着とを分けて洗濯が可能になり、使用の利便性が向上する。
【００２９】
図５は、図１に示すゼッケン１のさらに他の構成例を示す正面図である。
【００３０】
図５（ａ）は、図１のゼッケン２の図における上端部に三角形状の表示部２０を設けている。この表示部２０は、例えば、クラブの特有の色で表示され、また、団体競技で区分けした、その団体（クラス）を示す色で表示する。
【００３１】
図５（ｂ）は、図１のゼッケン２の図における四隅部分に、三角形状の表示部２０ａ，２０ｂ，２０ｃ，２０ｄを設けている。この表示部２０ａ〜２０ｄは、例えば、クラブ特有の色で表示され、また、団体競技で区分けした団体（クラス）を示す色で表示する。
【００３２】
図５（ｃ）は、図１のゼッケン２の図における四辺周囲部分に、表示部２２を設けている。この表示部２２は、図５（ａ）の表示部２０と同様に、例えば、クラブ特有の色で表示され、また、団体競技で区分けした団体（クラス）を示す色で表示する。
【００３３】
なお、この図５（ａ）から図５（ｃ）のゼッケン２の例では、図示しない上着に縫い合わせて（縫い目７）固定されている。
【００３４】
図６は図１に示すゼッケン２のさらに他の構成例を示す正面図である。
【００３５】
図６（ａ）は、ハート型形状のゼッケン２５であり、図６（ｂ）は、ひし型形状のゼッケン２６である。また、図６（ｃ）は、王冠形状のゼッケン２８である。
【００３６】
図６（ａ）のハート型形状のゼッケン２５、及び、図６（ｃ）の王冠形状のゼッケン２７は、図示しない上着に縫い合わせて（縫い目７）固定されている。なお、上記したように、紐で競技者に着けたり、腕などに取り付けたり、さらに、安全ピンで取り付けるようにしても良い。
【００３７】
図６（ｂ）のひし型形状のゼッケン２６は、この例では、図示しない上着に、着脱可能なマジックテープ（登録商標）２６ａ，２６ｂ，２６ｃ，２６ｄで取り付けている。このひし形型形状のゼッケン２６は、着脱が容易であり、競技者の上着に縫い付ける手間がなくなる、また、競技会の途中で「級（又は段）」が変更になった際に新たな「級（又は段）」の色の氏名を記入できる様になり、かつ、ゼッケン２や上着とを分けて洗濯が可能になり、その使用の利便性が向上する。
【００３８】
なお、上記した実施形態では、図１などに示すように、卓球競技者Ｍの上着１の後ろ側（背面）にゼッケン２を配置した例をもって説明したが、卓球競技者Ｍの上着１の前側（前面）のみにゼッケンを配置したり、卓球競技者Ｍの上着１の前側（前面）及び後ろ側（背面）の両面にゼッケンを配置しても良い。このような多様な配置例も本発明に含まれる。さらに、ゼッケン２に、写真（例えば、競技者の顔が判明するように）を印刷することも出来る。
【００３９】
また、この実施形態では、布を用いた例をもって説明したが、競技者の競技（すなわち、運動）に影響を与えない材質のシートであれば良い。
【００４０】
【発明の効果】
以上の説明で明らかなように、本発明のスポーツ競技者用ゼッケンによれば、スポーツ競技の上達段階の表示及びその確認が、特に、卓球の上達段階を示す「級（又は段）」の表示が容易、迅速かつ確実に出来るようになるという効果を奏する。
【図面の簡単な説明】
【図１】本発明のスポーツ競技者用ゼッケンの使用状態及び構成例を示す斜視図である。
【図２】実施形態にあってゼッケンの構成例を示す斜視図である。
【図３】実施形態にあってゼッケンの他の固定例を示す正面図である。
【図４】実施形態にあってゼッケンの他の構成例を示す正面図である。
【図５】実施形態にあってゼッケンのさらに他の構成例を示す正面図である。
【図６】実施形態にあってゼッケンのさらに他の構成例を示す正面図である。
【符号の説明】
Ｍ…競技者
１…上着
２，２ａ，２ｂ…ゼッケン
３…氏名
４…団体名
７…縫い目
１０ａ〜１０ｄ…安全ピン
１３ａ，１３ｂ…紐
２０，２０ａ〜２０ｄ，２２，２５〜２７…表示部
２６ａ〜２６ｄ…マジックテープ
【図１】
2004093598.tif 000003
【図２】
2004093598.tif 000004
【図３】
2004093598.tif 000005
【図４】
2004093598.tif 000006
【図５】
2004093598.tif 000007
【図６】
2004093598.tif 000008